【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
第１の時点におけるユーザの既知の第１の支払い閾値を取得するステップ（１０１）と；
予め取得されている支払い閾値変更ルールに従い、第２の時点と前記第１の時点との間の支払い閾値変動量を決定するステップ（１０２）と；
前記第１の支払い閾値と前記支払い閾値変動量とに応じて、前記第２の時点における前記ユーザの支払い閾値を決定するステップ（１０３）と；を備え、
前記支払い閾値変更ルールは、異なる時点における前記ユーザの過去の取引データに対してデータ処理が行われた後に取得される、
支払い閾値取得方法。
【請求項２】
前記支払い閾値変更ルールを取得する前記工程は：
第１のデータ列を取得するために、予め設定されたルールに従い、異なる時点における前記ユーザの過去の取引データに対して第１のデータ処理を実行するステップ（２０１）と；
第２のデータ列を取得するために、前記第１のデータ列に対して第２のデータ処理を実行するステップ（２０２）と；
前記支払い閾値変更ルールを取得するために、前記第２のデータ列に対して回帰分析を実行するステップ（２０３）と；を備える、
請求項１に記載の支払い閾値取得方法。
【請求項３】
第１のデータ列を取得するために、予め設定されたルールに従い、異なる時点における前記ユーザの過去の取引データに対して第１のデータ処理を実行する前記ステップは：
予め設定されたユーザ割り込み率に応じてデータ分位点を決定するステップ（３０１）と；
前記第１のデータ列を取得するために、前記データ分位点に応じて異なる時点における前記ユーザの過去の取引データに値を割り当てるステップ（３０２）と；を備える、
請求項２に記載の支払い閾値取得方法。
【請求項４】
第２のデータ列を取得するために、前記第１のデータ列に対して第２のデータ処理を実行する前記ステップは：
階差数列を取得するために、前記第１のデータ列に対して差演算を実行するステップ（４０１）と；
前記第２のデータ列を取得するために、前記階差数列に対して対数変換を実行するステップ（４０２）と；を備える、
請求項２に記載の支払い閾値取得方法。
【請求項５】
前記支払い閾値変更ルールを取得するために、前記第２のデータ列に対して回帰分析を実行する前記ステップは：
前記第２のデータ列に応じて回帰モデルを確立するステップ（５０１）と；
残差が正規分布に従う場合、前記回帰モデルに応じて前記支払い閾値変更ルールを取得するステップ（５０２）と；を備える、
請求項２に記載の支払い閾値取得方法。
【請求項６】
予め設定された条件に従って前記支払い閾値変更ルールを修正するステップを更に備える、
請求項１乃至請求項５のいずれか一項に記載の支払い閾値取得方法。
【請求項７】
予め設定された条件に従って前記支払い閾値変更ルールを修正するステップを更に備え、前記ステップは：
修正量を取得するステップと；
第１のデータ列を前記得られた修正量に応じて調節するステップと；
修正された支払い閾値変更ルールを取得するステップと；を備える、
請求項２乃至請求項５のいずれか一項に記載の支払い閾値取得方法。
【請求項８】
過去の取引データは、取引金額又は取引数を備える、
請求項１乃至請求項６のいずれか一項に記載の支払い閾値取得方法。
【請求項９】
支払いツール内の取引金額に対して、前記決定された支払閾値を設定するステップを更に備える、
請求項１乃至請求項８のいずれか一項に記載の支払い閾値取得方法。
【請求項１０】
請求項１乃至請求項９のいずれか一項に記載の方法を実行するように構成された複数のユニットを備える、
支払い閾値取得装置。
【手続補正２】
【補正対象書類名】明細書
【補正対象項目名】００７２
【補正方法】変更
【補正の内容】
【００７２】
本願において提供される支払い閾値設定方法及び支払い閾値設定装置を上記に詳細に記載した。本明細書においては、具体例を用いることにより本願の原理及び実施を説明した。上記の実施の形態の記載は、本願の方法及びその核となる概念の理解を助けるために用いられるに過ぎない。一方、当業者は、本願の概念に従い、具体的な実施及び適用範囲に変更を加えることができる。結論として、本明細書の内容は、本願を限定するものとみなすべきではない。
［第１の局面］
支払い閾値取得方法であって：
第１の時点におけるユーザの既知の第１の支払い閾値を取得するステップと；
予め取得されている支払い閾値変更ルールに従い、第２の時点と前記第１の時点との間の支払い閾値変動量を決定するステップと；
前記第１の支払い閾値と前記支払い閾値変動量とに応じて、前記第２の時点における前記ユーザの支払い閾値を決定するステップと；を備え、
前記支払い閾値変更ルールは、異なる時点における前記ユーザの過去の取引データに対してデータ処理が行われた後に取得される、
支払い閾値取得方法。
［第２の局面］
前記支払い閾値変更ルールを取得する前記工程は：
予め設定されたルールに従い、異なる時点における前記ユーザの前記過去の取引データに対して第１のデータ処理を行い、第１のデータ列を取得するステップと；
前記第１のデータ列に対して第２のデータ処理を行い、第２のデータ列を取得するステップと；
前記第２のデータ列に対して回帰分析を行い、前記支払い閾値変更ルールを取得するステップと；を備える、
第１の局面に記載の方法。
［第３の局面］
予め設定されたルールに従い、異なる時点における前記ユーザの前記過去の取引データに対して第１のデータ処理を行い、第１のデータ列を取得する前記ステップは：
予め設定されたユーザ割り込み率に応じてデータ分位点を決定するステップと；
前記データ分位点に応じて異なる時点における前記ユーザの前記過去の取引データに値を割り当てて前記第１のデータ列を取得するステップと；を備える、
第２の局面に記載の方法。
［第４の局面］
前記第１のデータ列に対して第２のデータ処理を行い、第２のデータ列を取得する前記ステップは：
前記第１のデータ列に対して差演算を行い、階差数列を取得するステップと；
前記階差数列に対して対数変換を行い、前記第２のデータ列を取得するステップと；を備える、
第２の局面に記載の方法。
［第５の局面］
前記第２のデータ列に対して回帰分析を行い、前記支払い閾値変更ルールを取得する前記ステップは：
前記第２のデータ列に応じて回帰モデルを確立するステップと；
残差が正規分布に従う場合、前記回帰モデルに応じて前記支払い閾値変更ルールを取得するステップと；を備える、
第２の局面に記載の方法。
［第６の局面］
予め設定された条件に従って前記支払い閾値変更ルールを修正するステップを更に備える、
第１の局面乃至第５の局面のいずれかに記載の方法。
［第７の局面］
支払い閾値取得装置であって：
第１の時点におけるユーザの既知の第１の支払い閾値を取得するように構成された閾値取得ユニットと；
予め取得されている支払い閾値変更ルールに従い、第２の時点と前記第１の時点との間の支払い閾値変動量を決定するように構成された変動量決定ユニットと；
前記第１の支払い閾値と前記支払い閾値変動量とに応じて、前記第２の時点における前記ユーザの支払い閾値を決定するように構成された閾値決定ユニットと；を備え、
前記支払い閾値変更ルールは、異なる時点における前記ユーザの過去の取引データに対してデータ処理が行われた後に取得される、
支払い閾値取得装置。
［第８の局面］
前記支払い閾値変更ルールを取得するように構成されたルール決定ユニットを更に備え；
前記ルール決定ユニットは：
予め設定されたルールに従い、異なる時点における前記ユーザの前記過去の取引データに対して第１のデータ処理を行い、第１のデータ列を取得するように構成された第１の処理サブユニットと；
前記第１のデータ列に対して第２のデータ処理を行い、第２のデータ列を取得するように構成された第２の処理サブユニットと；
前記第２のデータ列に対して回帰分析を行い、前記支払い閾値変更ルールを取得するように構成されたデータ分析サブユニットと；を備える、
第７の局面に記載の装置。
［第９の局面］
前記第１の処理サブユニットは：
予め設定されたユーザ割り込み率に応じてデータ分位点を決定するように構成された決定サブユニットと；
前記データ分位点に応じて異なる時点における前記ユーザの前記過去の取引データに値を割り当てて前記第１のデータ列を取得するように構成された値割り当てサブユニットと；を備える、
第８の局面に記載の装置。
［第１０の局面］
前記第２の処理サブユニットは：
前記第１のデータ列に対して差演算を行い、階差数列を取得するように構成された演算サブユニットと；
前記階差数列に対して対数変換を行い、前記第２のデータ列を取得するように構成された変換サブユニットと；を備える、
第８の局面に記載の装置。
［第１１の局面］
前記データ分析サブユニットは：
前記第２のデータ列に応じて回帰モデルを確立するように構成された確立サブユニットと；
残差が正規分布に従う場合、前記回帰モデルに応じて前記支払い閾値変更ルールを取得するように構成された分析サブユニットと；を備える、
第８の局面に記載の装置。
［第１２の局面］
予め設定された条件に従って前記支払い閾値変更ルールを修正するように構成された修正ユニットを更に備える、
第７の局面乃至第１１の局面のいずれかに記載の装置。